(57)【要約】【課題】  従来の加熱ロッドによる毛髪処理方法にあっては、損傷度が高い毛先部分がロッドの内側に巻かれた状態となり、直接ロッドの伝導熱を受けるため、より毛髪損傷を進める結果となり、また、被施術者の頭部にヘアアイロンまたは加熱ロッドを接近させるため、被施術者の頭部が熱くなり不快感を与えるといった問題があった。【解決手段】  還元剤が塗布され軟化膨潤状態となった毛髪を水洗いした後に、吸引手段側に前記毛髪を巻き付ける工程と、前記巻き付けられた毛髪の外周から温風を供給する送風手段により温風を毛髪に吹き付けすると共に、前記吸引手段により毛髪を介して前記温風を吸引して毛髪を乾燥する工程とを含むことを特徴とするパーマネントウェーブの処理方法である。【選択図】        図１
2006212222.tif 000002
【特許請求の範囲】
【請求項１】
パーマネントウェーブの処理方法において、還元剤が塗布され軟化膨潤状態となった毛髪を水洗いした後に、吸引手段側に前記毛髪を巻き付ける工程と、前記巻き付けられた毛髪の外周から温風を供給する送風手段により温風を毛髪に吹き付けすると共に、前記吸引手段により毛髪を介して前記温風を吸引して毛髪を乾燥する工程とを含むパーマネントウェーブの処理方法。
【請求項２】
前記乾燥工程の後に、前記吸引手段によって外気を吸引することで冷却することを特徴とする請求項１記載のパーマネントウェーブの処理方法。
【請求項３】
前記送風手段に設けられたセンサで温度あるいは湿度を計測して毛髪の乾燥状態を常時監視し、最適な毛髪の乾燥状態において温風の送風または／および吸引を停止するようにしたことを特徴とする請求項１記載のパーマネントウェーブの処理方法。
【請求項４】
周面に空気吸引口が多数形成されたロッドと、
該ロッドの中空孔に挿入されると共に前記空気吸引口と一致する空気吸引口を有する吸引管内を負圧にする吸引手段と、
該吸引手段に装着された前記ロッドの周面に配置され、該ロッドに向かって温風を送風する送風手段と、
から構成したことを特徴とするパーマネントウェーブの処理装置。
【請求項５】
一端が閉塞され周面に空気吸引口が多数形成されたロッドと、
該ロッドの他端開放側が装着されロッド内を負圧状態とする吸引手段と、
該吸引手段に装着された前記ロッドの周面に配置され、該ロッドに向かって温風を送風する送風手段と、
から構成したことを特徴とするパーマネントウェーブの処理装置。
【請求項６】
空気吸引口が形成された毛髪を巻き付けるための吸引管を有し、該吸引管内を負圧状態とする吸引手段と、
毛髪が巻き付けられた前記吸引管の周面に配置され、毛髪に向かって温風を送風する送風手段と、
から構成したことを特徴とするパーマネントウェーブの処理装置。
【請求項７】
前記送風手段には、毛髪の温度や湿度を計測するためセンサが内蔵されていることを特徴とする請求項４〜６の何れかに記載のパーマネントウェーブの処理装置。
【請求項８】
請求項４，５において、ロッドを送風手段に嵌合した状態においてロッドが送風手段から抜け落ちるのを防止するための係合手段が設けられていることを特徴とする請求項４，５の何れかに記載のパーマネントウェーブの処理装置。
【発明の詳細な説明】
【技術分野】
【０００１】
毛髪のパーマネントウェーブ処理に関し、その処理結果が従来の方法と比べ、毛髪の損傷を抑え、その仕上がりのウェーブが良く、且つ、安全性の高い施術が行えるパーマネントウェーブ処理方法及びその装置に関する。
【背景技術】
【０００２】
一般的にパーマの処理は、次のような工程で行われている。その工程は、毛髪をロッドに巻き、還元剤を含むパーマネント第1 剤を塗布し毛髪を軟化膨潤させた後、毛髪に付着した還元剤を洗い流し、還元剤を含むパーマネント第２剤を塗布し毛髪の内部の結合を酸化固定し、ロッドを外し毛髪を乾燥させる工程である。
【０００３】
しかし、この一般的なパーマ処理方法は、広く一般的に普及している技術であるが、処理した毛髪のウェーブは、乾燥させると大きくなる（ダレる）という欠点があり、また、そのウェーブを保持する期間も十分に満足いくものではなかった。
【０００４】
そこで、近年、ヘアアイロン又は加熱ロッドを用いて、毛髪を乾燥させる工程をパーマ処理に加えた方法が特開２００４- ２６２７９８号広報に開示されている。この処理方法の工程は、毛髪に還元剤を含むパーマネント第1 剤を塗布し毛髪を軟化膨潤させた後、水洗し余分な水分を拭き取り、加熱可能なロッドに毛髪を巻きつけ、ロッドを加熱することにより毛髪を乾燥させた後、還元剤を含むパーマネント第２剤を塗布し毛髪の内部の結合を酸化固定し、ロッドを外し毛髪を乾燥させる工程である。
【特許文献１】特開２００４−２６２７９８号公報
【０００５】
このヘアアイロン又は加熱ロッドを用いたパーマ処理方法は、還元された毛髪を加熱乾燥した後に、毛髪の内部結合を酸化固定（パーマネント第２剤処理）するため、処理された毛髪のウェーブは、乾燥させても大きくならず、且つ、保持期間も長いという長所がある。
【発明の開示】
【発明が解決しようとする課題】
【０００６】
前記の先行例は、伝導熱のみで乾燥させる必要があり、ヘアアイロン及び加熱ロッドの温度を高くする必要がある為、通常ヘアアイロンの場合は１８０℃以上、加熱ロッドの場合は１００℃以上の温度で乾燥処理が行われている。
【０００７】
このように、高温で乾燥処理を行うため、毛髪の損傷が大きくなる。特に加熱ロッドの場合は、傷度が高い毛先部分がロッドの内側に巻かれた状態となり、直接ロッドの伝導熱を受けるため、より毛髪損傷を進める結果となる。また、被施術者の頭部にヘアアイロンまたは加熱ロッドを接近させるため、被施術者の頭部が熱くなって不快感を与えるといった問題があった。
【０００８】
本発明は前記した問題点を解決せんとするもので、その目的とするところは、前記毛髪の全体に対して温風を送風し、毛髪を介して送風された温風を毛髪を介して吸引することで、乾燥温度が低く抑えられて毛髪の損傷を低減し、被施術者への高温による熱さによる不快感が少ないパーマネントの処理方法及びその装置を提供せんとすることにある。
【課題を解決するための手段】
【０００９】
本発明のパーマネントウェーブの処理方法は前記した目的を達成せんとするもので、請求項１の手段は、パーマネントウェーブの処理方法において、還元剤が塗布され軟化膨潤状態となった毛髪を水洗いした後に、吸引手段側に前記毛髪を巻き付ける工程と、前記巻き付けられた毛髪の外周から温風を供給する送風手段により温風を毛髪に吹き付けすると共に、前記吸引手段により毛髪を介して前記温風を吸引して毛髪を乾燥する工程とを含むことを特徴とする。
【００１０】
請求項２の手段は、前記した請求項１において、前記乾燥工程の後に、前記吸引手段によって外気を吸引することで冷却することを特徴とする。
【００１１】
請求項３の手段は、前記した請求項１において、前記送風手段に設けられたセンサで温度あるいは湿度を計測して毛髪の乾燥状態を常時監視し、最適な毛髪の乾燥状態において温風の送風または／および吸引を停止するようにしたことを特徴とする。
【００１２】
また、本発明に係るパーマネントの処理装置における請求項４の手段は、周面に空気吸引口が多数形成されたロッドと、該ロッドの中空孔に挿入されると共に前記空気吸引口と一致する空気吸引口を有する吸引管内を負圧にする吸引手段と、該吸引手段に装着された前記ロッドの周面に配置され、該ロッドに向かって温風を送風する送風手段とから構成したものである。
【００１３】
請求項５の手段は、一端が閉塞され周面に空気吸引口が多数形成されたロッドと、該ロッドの他端開放側が装着されロッド内を負圧状態とする吸引手段と、該吸引手段に装着された前記ロッドの周面に配置され、該ロッドに向かって温風を送風する送風手段とから構成したものである。
【００１４】
請求項６の手段は、空気吸引口が形成された毛髪を巻き付けるための吸引管を有し、該吸引管内を負圧状態とする吸引手段と、毛髪が巻き付けられた前記吸引管の周面に配置され、毛髪に向かって温風を送風する送風手段とから構成したものである。
【００１５】
請求項７の手段は、前記した請求項４〜６において、前記送風手段には、毛髪の温度や湿度を計測するためセンサが内蔵されていることを特徴とする。
【００１６】
請求項８の手段は、前記した請求項４，５において、ロッドを送風手段に嵌合した状態においてロッドが送風手段から抜け落ちるのを防止するための係合手段が設けられていることを特徴とする。
【発明の効果】
【００１７】
本発明は前記したように、ロッドに毛髪が巻かれた状態においてロッド内から空気を吸引し、また、毛髪の全体に対して温風を送風することで、送風と吸引の同時作用によってロッドに巻かれている毛髪を乾燥させるため、乾燥温度を低く抑えることができ、毛髪の損傷を低減し、被施術者への高温による熱さによる不快感を少なくすることができる。
【００１８】
また、前記乾燥工程の後に、前記吸引手段によって外気を吸引することで毛髪を冷却することができ、乾燥後の温まった毛髪の温度を迅速に低下させて次の施術への移行が早くなる。
【００１９】
さらに、送風手段に温度あるいは湿度センサを内蔵することで、ロッドに巻かれている毛髪の湿潤状態を監視することができ、毛髪の乾燥を最適な状態で行うことができる。
【００２０】
また、送風手段は吸引手段に嵌合固定されるので、毛髪の乾燥作業中に送風手段が外れることがなく、また、ロッドは吸引手段に対して位置決め状態で固定されるので、ロッドに形成された空気吸引口と、該ロッド内に入り込む吸引手段のロッド装着部の空気挿通孔との位置ズレが防止され、送風手段よりの温風の流れがスムースに行われる。
【００２１】
さらに、吸引手段における吸引管に毛髪を直接巻き付けて乾燥させることでロッドが不要となり、ロッドを保存するための商品コストの低下と保存が不要であることによる管理が必要であるなるという効果を有するものである。
【発明を実施するための最良の形態】
【００２２】
本発明は、毛髪が巻かれたロッド内の空気を吸引すると共に、毛髪の全周から温風を送風し、毛髪を介して送風された温風をロッド内部から吸引する。
【実施例１】
【００２３】
以下、本発明に係るパーマネントウェーブ処理装置の第１の実施例を図１〜図４と共に説明する。
１は被施術者の毛髪を巻くための円筒状ロッドにして、多数の空気吸引口１１が長手方向に沿って形成されている。２は前記ロッド１が装着される吸引手段にして、前記ロッド１内に挿入される前記空気吸引口１１と同じ位置に空気吸引口２１ａが形成され、かつ、先端が閉塞されている吸引管２１と、該吸引管２１の基端部が固定されると共に吸引管２１と連通する吸引孔２２ａが形成されている把持部２２と、該把持部２２の一端に空気の吸引を行う吸引源（図示せず）と接続するためのフレキシブルな吸引パイプ２３とから構成されている。
【００２４】
なお、ロッド１に形成されている空気吸引口１１と吸引管２１に形成されている空気吸引口２１ａとの孔どうしを一致させないと空気の流入が行われなくなり、また、ロッド１が吸引管２１より抜け出るのを防止する必要があるので、図４に示すようにロッド１の開口端に形成した溝１２と、吸引管２１の端部に前記溝１２が係合される突起２１ｂとからなる係合手段を形成し、溝１２と突起２１ｂとを係合することで２つの空気吸引口１１，２１ａが連通するようになり、また、ロッド１が吸引管２１から抜け出るのが防止される。
【００２５】
３はロッド１の外周から温風を送風する送風手段にして、一端が開放され、かつ、長手方向に沿ってロッド１に巻かれた毛髪を通すための長孔３１ａが形成された覆い管３１と、該覆い管３１の閉塞側に収容されたファン３２およびヒーター３３と、覆い管３１の内壁面に固定され、頭髪の温度あるいは湿度を検出するセンサ３４とから構成されている。
【００２６】
なお、覆い管３１の一端にはファン３２、ヒーター３３およびセンサ３４からのリード線を外部に導出するためのリード線導出部３１ｂが一体的に形成されている。また、図示していないが、前記したファン３２の背面側の覆い管３１にはフィルターが取付けられると共に空気孔が開口されている。
【００２７】
前記した図１の実施例における吸引手段２の吸引は外部の吸引源によって行っているのに対し、図２は把持部２２の端面にファン２４を取付け、該ファン２４で吸引した湿り気を含む空気を吸引パイプ２３を介して外部に排出するようにした点で異なるものである。
【００２８】
次に、本発明のパーマネントウェーブの処理装置を使用してパーマを行う方法の一例を図面と共に説明する。
先ず、毛髪にパーマネントウェーブ用の還元剤である第１液を塗布し、５〜２０分放置して毛髪を軟化し膨潤させる。次いで、軟化処理後の毛髪を洗髪し、余分な水分を除去する。余分な水分を除去した毛髪をロッド１に巻き付ける。なお、この作業工程において、最初に毛髪をロッド１に巻き付け第１液を塗布し、前記した時間放置した後、ロッド１を巻いた状態で洗髪することもある。
【００２９】
そして、毛髪が巻き付けられているロッド１を吸引手段２における吸引管２１に嵌め込む。この時、図４で示したロッド１の溝１２を吸引管２１に形成されている突起２１ｂに係合することでロッド１と吸引管２１の空気吸引口１１，２１ａは連通され、また、ロッド１は吸引手段２に対して固定される。
【００３０】
次いで、送風手段３における覆い管３１の長孔３１ａにロッド１に巻かれている毛髪を挿通しながら、覆い管３１の開口端を吸引手段２の段部２２ｂに嵌合固定する。この状態において、ファン３２およびヒーター３３に通電すると共に、吸引手段２側の吸引源あるいはファン２４を駆動すると、ヒーター３２で加熱された空気がファン３３で覆い管３１内に送風される。
【００３１】
覆い管３１内に送風された温風はロッド１に巻かれた毛髪の全体に吹き付けられ、かつ、吸引手段２側でロッド１内を負圧状態としているので、温風は毛髪から空気吸引口１１，２１ａを介して吸引管２１内に吸引され外部に排出される。なお、送風手段３からの温風は約６０℃であるが、これ以上の高温であると毛髪にダメージを与えるので、温風の温度は６０℃以下が好ましく、また、低温側は温度が低過ぎると乾燥に時間が掛かるので、施術者が処理時間に応じて適宜選択して設定すればよい。
【００３２】
このように、送風手段３から送られる温風は吸引手段２で強制的に吸引されるので、温風の毛髪を通過する単位時間当たりの量が多くなって濡れている毛髪は、ロッド１自体が発熱しその伝導熱で乾燥される方式と比べて乾燥率が高くなり低い温度でも乾燥できる。なお、前記乾燥を行っている状態において、毛髪よりの水分が吸収手段２内に入り込むが、該水分は吸引パイプ２３より外部に排出される。
【００３３】
そして、毛髪の乾燥度合いは、温度あるいは湿度センサ３４によって覆い管３１内の雰囲気を検出しているので、どの程度の乾燥状態であるかの判断でき、従って、センサ３４の出力を図示しない制御回路で監視することで、予め設定した値にセンサ３４よりの値が達した時点で送風手段２のファン３２、ヒーター３３および吸引手段３の吸引源あるいはファン２４への通電を遮断すれば、施術者の熟練度に関係なく一定の乾燥状態で乾燥作業を終了させることができる。
【００３４】
前記乾燥工程が終了したなら送風手段３を外し、吸引手段２のみを動作させて吸引して温まった毛髪を冷却する。該冷却が終了したならロッド１に巻かれている毛髪にパーマネントウェーブ用の酸化剤である第２液を塗布し１〜１５分放置する。そして、毛髪の酸化が終了したならロッド１を外して毛髪を洗髪し、乾燥させてスタイリングを行うことで作業は終了する。
【実施例２】
【００３５】
次に、第２の実施例を図５、図６と共に説明する。前記した第１の実施例ではロッド１に施術者が被施術者の毛髪をパーマを掛ける部分まで巻いた状態で、ロッド１を吸引手段２の吸引管２１に嵌め込むという手順であるが、この実施例では、予めロッド１を吸引管２１に嵌め込んだ後に、毛髪の先端部分のみを被施術者がロッド１に巻き付け、次いで、吸引手段２側に内蔵されているモータ２５の回転力を利用して所定量巻くことで、毛髪のロッド１への巻き時間の短縮を図った実施例である。
【００３６】
図５の実施例では、図１の第１の実施例における吸引手段２における把持部２２の基端側に膨出部２２ｂを形成し、該膨出部２２ｂ内にモータ２４を取付けると共に吸引管２１より膨出部２２ｂ内まで延長されたパイプ２１ｂにギア２４ａを介して前記モータ２４の出力軸と噛合させる。なお、図６の実施例は前記した第１の実施例における図２と同様に内部に吸引手段２のファン２４を設けたものである。
【００３７】
このような構成とすることで、吸引手段２における吸引管２１にロッド１を装着した状態で、施術者がロッド１に被施術者の毛髪の先端部分を巻き付け、その後、図示しないスイッチをオンにしてモータ２４を回転させることでロッド１が回転して毛髪のパーマを掛ける部分まで巻き付けることでき、従って、ロッド１への毛髪の巻き付けが簡単、かつ、短時間で行うことができる。なお、その後における毛髪の乾燥は前記した作業と同じなので説明は省略する。
【実施例３】
【００３８】
次に、第３の実施例を図７と共に説明する。この実施例は、前記した第２の実施例で示した吸引手段２における吸引管２１を根元でカットし、吸引手段２の保管時等において収納面積を取らないように全長を短くしたものである。
【００３９】
このように、吸引管２１を短くすると前記したような両端が開口されているロッド１を採用した場合には、送風手段３からの温風がロッド１内を通過して吸引手段２に吸引されてしまうので、この実施例において使用するロッド１は一端が閉塞されているものを利用する。そして、ロッド１の開口部側を短尺な吸引管２１′に回り止め兼固定用の突条２１ａ′である係合手段に固定することで、ロッド１を吸引手段２に固定できるので、前記した第２の実施例と同様に毛髪のロッド１への巻き付けが簡単に行える。
【００４０】
なお、この実施例では、モータ２４によってロッド１を回転させる実施例としたが、第１の実施例における吸引管２１を短尺なものとした吸引管２１′に変更したものであってもよく、また、吸引用のファン３２を内蔵したものであってもよい。そして、毛髪の乾燥については第１の実施例と同様なので説明は省略する。
【実施例４】
【００４１】
前記した何れの実施例においても毛髪をロッド１に巻き付け、該ロッド１を吸引手段の吸引管２１に嵌合固定したものであるが、この実施例では、毛髪の巻き付けが容易に行えるように吸引管２１の材質および形状を選択し、ロッド１を不要としたものである。
【００４２】
図８は前記した第１の実施例における図１の吸引管２１に直接毛髪を巻き付けるものである。この場合には、施術者が吸引手段２を回転するようにして吸引管２１を回転させながら毛髪を巻き付けるものであり、図９は前記した第２の実施例における図６の吸引管２１に直接毛髪を巻き付けるものである。この場合には、モータ２４を回転することで吸引管２１が回転するので、毛髪の吸引管２１への巻き付けは図８に示す吸引手段２よりも容易に行える。
【００４３】
そして、ロッド１を使用せずに直接吸引管２１に巻き付けた毛髪の乾燥は、前記した実施例と同様に行われるので、同じ作用効果が得られるものである。
【図面の簡単な説明】
【００４４】
【図１】本発明に係るパーマネントウェーブの処理装置における第１の実施例を示す分解斜視図である。
【図２】同上における吸引手段に吸気用のファンを内蔵した分解斜視図である。
【図３】乾燥の施術状態を示す斜視図である。
【図４】ロッドと吸引管との回り止め部分を示した拡大斜視図である。
【図５】第２の実施例を示す分解斜視図である。
【図６】同上における吸引手段に吸気用のファンを内蔵した分解斜視図である。
【図７】第３の実施例を示す分解斜視図である。
【図８】第４の実施例を示すロッドを使用せず吸引管に毛髪を巻き付けた場合の斜視図である。
【図９】同上における吸引管をモータによって回転させる場合の斜視図である。
【符号の説明】
【００４５】
１          ロッド
１１        空気吸引口
１２        溝
２          吸引手段
２１        吸引管
２１ａ      空気吸引口
２１ｂ      突起
２２        把持部
２３        パイプ
２４        ファン
３          送風手段
３１        覆い管
３２        ファン
３３        ヒーター
３４        センサ
【図１】
2006212222.tif 000003
【図２】
2006212222.tif 000004
【図３】
2006212222.tif 000005
【図４】
2006212222.tif 000006
【図５】
2006212222.tif 000007
【図６】
2006212222.tif 000008
【図７】
2006212222.tif 000009
【図８】
2006212222.tif 000010
【図９】
2006212222.tif 000011